(57)【要約】【課  題】芯部の上下端から側方に突出する表面リップ及び内部リップを有し、建物の外壁材間の縦目地及び横目地に装着される目地ガスケットであって、縦目地と横目地の交差部において、目地への装着時に凹形に撓んだ表面リップから露出する部分の外観を向上させ、また一方のガスケットの内部リップ裏面と、これに突き当たる他方のガスケットの表面リップ端面との隙間をなくし、シール性を向上させると共に、影ができないようにする。【解決手段】表面リップ２３と内部リップ２４との間に中間リップ２５を芯部２２より側方に突設する。各リップは内部リップ２４、表面リップ２３、中間リップ２５の順に長く形成し、目地１１、１２に押込んで装着したとき、内部リップ２４が凹形に撓んで表面リップ２３に被さり、上記交差部において、凹形に撓んだ表面リップ２３から露出する。この露出部分の内部リップ裏面は、外壁材表面と同色にし、違和感をなくす。【選択図】  図１０
2004197344.tif 000002
【特許請求の範囲】
【請求項１】
芯部２２と、該芯部２２の上端から側方に突出する表面リップ２３と、上記芯部２２の下部又は中間部から側方に突出する内部リップ２４を有し、建物の外壁材８間に形成される縦目地１１と横目地１２に装着される目地ガスケットにおいて、上記目地１１及び１２に押込んで装着したとき、凹形に撓む内部リップ２４先端部が同じく凹形に撓む表面リップ２３先端部と重なり、内部リップ先端が表面リップ先端より若干突出するか、或いは同じ高さとなるように、内部リップ２４を表面リップ２３より長く形成したことを特徴とする目地ガスケット。
【請求項２】
内部リップ２４は少なくとも縦目地１１と横目地１２の交差部分において露出する部分が表面リップ２３の表面色と同一ないし類似か、又はマッチする色をなすことを特徴とする請求項１記載の目地ガスケット。
【請求項３】
表面リップ２３と内部リップ２４との間に位置し、表面リップ２３と同等以下の突出長さを有する中間リップ２５を芯部２２より側方に突出して設けたことを特徴とする請求項１又は２記載の目地ガスケット。
【発明の詳細な説明】
【０００１】
【発明が属する技術分野】
本発明は、建物の外壁材間の目地に装着される目地ガスケットに関する。
【０００２】
【従来技術】
【特許文献１】特開平１０−８８６７５号
建物の外壁には、外壁材を建物躯体に取付けたとき外壁材間に目地が形成される。こうした目地をシールする際、乾式方法においては、目地ガスケットを用いるのが一般的である。図１は、従来用いられてきたこの種目地ガスケットＡの一例を示すもので、中空状をなす芯部１の下端と上端に側方に突出する内部リップ片２と表面リップ片３を形成し、表面リップ片３は表面を外壁色の化粧面３ａとしている。
【０００３】
図２は、上記特許文献１に開示される目地ガスケットＢについて示すもので、本体５の下端から斜め上方に延びるシール片６を形成すると共に、本体５の上端から側方に延びるリップ片７を形成し、リップ片７の先端部７ａは、基部よりも変形を容易にするためスポンジ材で形成されている。この目地ガスケットによると、図３に示す外壁材８間の目地９に押込んで装着したとき、シール片６が外壁材側端面によって弾性変形し、リップ片７に圧着するようになっており、目地幅に若干の変動があってもリップ片７の先端部７ａが弾性変形することにより吸収され、目地を確実にシールすることができるとし、またシール片７が外壁材側端面に圧接することによりシール効果が向上する、としている。
【０００４】
【発明が解決しようとする課題】
外壁材を建物躯体に取付けたとき、図４に示すように、外壁材８によって縦目地１１と横目地１２が形成されることがある。こうした縦目地１１と横目地１２に図１に示すガスケットＡを装着したとき、目地が直交する部位では図５及び図６に示すように、横向きのガスケットＡに突き当たる縦向きのガスケットＡの凹形に撓んだ表面リップ片３から横向きのガスケットＡの表面リップ片３の裏面や表面リップ片３と内部リップ片２との間の溝状の隙間１３が露出するようになる。
【０００５】
しかもゴム製の目地ガスケットＡでは一般に、表層部のみが外壁色とされ、表層部以外はコスト上、ゴム材料の黒色を呈しているため、外壁色と異なる黒色の表面リップ片裏面が露出することにより、また隙間により影ができることにより、外観が損なわれる問題があった。こうした問題は、図５及び図６に示すものと逆に、縦目地１１に通した目地ガスケットＡに横目地１２に装着したガスケットＡを突き当たらせた場合においても同様に生ずる。
【０００６】
特許文献１に開示されガスケットＢは、目地幅が変動しても、それに対応できるようにしたことを目的とするものであるが、目地９に押込んで装着したとき、リップ先端部７ａが変形し易い材質であることもあって、図７に示すようにリップ片７が凹形に撓むことが避けられず、図４に示すような縦目地１１と横目地１２に装着した場合、その交差部分でシール片６の裏面が露出したり、シール片６とリップ片７の接続部分ｄが露出して外観が損なわれる不具合を生ずる。
【０００７】
本発明の第１の目的は、芯部と、該芯部の上端から側方に突出する表面リップと、芯部の下端または中間部から側方に突出する内部リップを有し、建物の外壁材間に形成される縦目地と横目地に装着される目地ガスケットにおいて、上記不具合を解消すること、すなわち装着時に表面リップが凹形に撓むようなことがあっても、縦目地と横目地の交差部分で表面リップの裏面、表面リップと内部リップとの間の隙間や接続部分が露出したり、隙間によって影ができることがないようにしたものである。
【０００８】
第２の目的は更に、上記交差部分において、目地ガスケットと、該ガスケットに突き当たる目地ガスケットの端面との間に隙間が生じることがないようにしてシール性がより確実に得られるようにしたものである。
【０００９】
【課題の解決手段】
請求項１に係わる発明は、第１の目的を達成する目地ガスケットに関するもので、芯部と、該芯部の上端から側方に突出する表面リップと、上記芯部の下部又は中間部から側方に突出する内部リップを有し、建物の外壁材間に形成される縦目地と横目地に装着される目地ガスケットにおいて、上記目地に押込んで装着したとき、凹形に撓む内部リップ先端部が同じく凹形に撓む表面リップ先端部と重なり、内部リップ先端が表面リップ先端より若干突出するか、或いは同じ高さとなるように、内部リップを表面リップより長く形成したことを特徴とする。
【００１０】
本発明によると、縦目地と横目地の交差部分においては、凹形に撓んだ表面リップから突き当たるガスケットの内部リップの裏面が露出するが、表面リップの裏面は内部リップで覆われ、内部リップとの接続部分ともども露出することはない。
【００１１】
請求項２に係わる発明は、請求項１に係わる発明において、内部リップは少なくとも縦目地と横目地の交差部分において露出する部分が表面リップの表面色と同一ないし類似か、又はマッチする色をなすことを特徴とする。
本発明のように、凹形に撓んだ表面リップから露出する内部リップ裏面が表面リップの表面と同色か、マッチする色をなすことにより、違和感がなくなり、外観性が向上する。
【００１２】
請求項３に係わる発明は、第２の目的を達成する目地ガスケットに関するもので、請求項１又は２に係わる発明において、表面リップと内部リップとの間に位置し、表面リップと同等以下の突出長さを有する中間リップを芯部より側方に突出して設けたことを特徴とする。
【００１３】
本発明によると、内部リップが中間リップを凹形に撓ませて弾性変形させることにより、その反力で外壁材側端部に押付けられるため、外壁材側端面との接触面積が増加するようになり、また突き当たるガスケット端面、とくに表面リップ端面と密着して該端面との間に隙間ができなくなる。
【００１４】
【発明の実施の形態】
図８に示す目地ガスケット２１は、中空状をなす芯部２２と、該芯部２２の上端より側方に突出する表面リップ２３と、芯部２２の下端より側方に突出し、突出長さが表面リップ２３より長く、表面リップ２３と芯部２２とで断面工字形をなす内部リップ２４と、表面リップ２３と内部リップ２４との間に位置し、突出長さが表面リップ２３より短く、かつ芯部２２より斜め上向きに突出する中間リップ２５とよりなり、表面リップ２３には、表面を外壁材表面と同色の化粧面とする表層部２３ａが形成され、また内部リップ２４も先端側が表裏において裏面は長めに上記表層部２３ａと同色の表層部２４ａが形成されている。そしてこの目地ガスケット２１は表層部２３ａ、２４ａを含め、全体が一体をなして押出成形により得られるようになっている。
【００１５】
なお、表面リップ２３の表面色が地色となる第１色と略水玉となる第２色などの複数の色よりなる場合においては、内部リップ２４の露出する部分の色を地色となる第１色と同一又は類似の色にするとよい。
【００１６】
図９に示すガスケット２７は、内部リップ２４の先端側全体を外壁材表面と同色に形成したもので、表面リップ２３も必要によっては内部リップ２４と同様、先端側全体を外壁材表面と同色に形成してもよい。
【００１７】
図１０は、図５に示すものと同様、直交する縦目地１１と横目地１２に上記目地ガスケット２１を装着した状態を示すものである。
図１０及び図１１に示すように、内部リップ２４は中間リップ２５を弾性変形させたときの反力で外壁材８側端面に押付けられて、該側端面との接触面積が増加するため、外壁材側端面とのシールがより確実に行えるようになり、また目地の交差部分において内部リップと、これに突き当たる目地ガスケット端面との間より水が侵入するのを防ぐことができ、横目地１２に装着される目地ガスケット２１の内部リップ２４の裏面は、これに突き当たる目地ガスケット２１の表面リップ端面とも密着し、隙間なくシールするため、横目地１２に装着される目地ガスケット２１の表面リップ裏面に縦目地１１に装着される目地ガスケット端面による影ができることもない。
【００１８】
また図８に示すように、目地ガスケット２１を縦目地１１と横目地１２に押し込んで装着したとき、表面リップ２３が凹形に撓むことにより、撓んだ箇所より横目地１２に装着される目地ガスケット２１の内部リップ２４裏面が露出するようになるが、内部リップ２４は先端の露出する部分が全て外壁材表面と同色をなしているため、露出しても違和感がなく、外観性が向上する。
【００１９】
【発明の効果】
請求項１に係わる発明によると、縦目地と横目地の交差部において、一方の目地ガスケットの凹形に撓んだ表面リップからは他方のガスケットの内部リップ裏面が露出するだけで、表面リップ裏面は露出することがなく、撓んで重合する表面リップ先端部と内部リップ先端部の接続部も凹形に撓んだ箇所から露出することがない。
【００２０】
請求項２に係わる発明によると、凹形に撓んだ表面リップから露出する内部リップ裏面は外型材表面と同色か、マッチする色をなすことにより違和感がなくなり、外観が向上する。
【００２１】
請求項３に係わる発明によると、内部リップと外壁材側端面との接触面積が増加することにより、内部リップと外壁材側端面とのシール性が向上すること、縦目地と横目地の交差部において、一方の目地ガスケットの内部リップ裏面と、これに突き当たる他方の目地ガスケットの表面リップ端面とが密着して隙間ができなくなるため、シール性が向上し、影ができることもないこと等の効果を奏する。
【図面の簡単な説明】
【図１】従来の目地ガスケットの断面図。
【図２】従来の別の目地ガスケットの断面図。
【図３】図２に示す目地ガスケットを目地に装着した状態を示す断面図。
【図４】縦目地と横目地が形成された建物外壁の一部の正面図。
【図５】図４に示す目地に目地ガスケットを装着した状態を示す斜視図。
【図６】図５のＩ−Ｉ線拡大断面図。
【図７】図２に示す目地ガスケットを目地に装着したときの状態を示す断面図。
【図８】本発明に係わる目地ガスケットの断面図。
【図９】本発明に係わる目地ガスケットの別の例の断面図。
【図１０】図８に示す目地ガスケットを図４に示す目地に装着した状態を示す斜視図。
【図１１】図１０のＩI−ＩI線断面図。
【符号の説明】
８・・外壁材
１１・・縦目地
１２・・横目地
２１、２７・・目地ガスケット
２２・・芯部
２３・・表面リップ
２４・・内部リップ
２５・・中間リップ
【図１】
2004197344.tif 000003
【図２】
2004197344.tif 000004
【図３】
2004197344.tif 000005
【図４】
2004197344.tif 000006
【図５】
2004197344.tif 000007
【図６】
2004197344.tif 000008
【図７】
2004197344.tif 000009
【図８】
2004197344.tif 000010
【図９】
2004197344.tif 000011
【図１０】
2004197344.tif 000012
【図１１】
2004197344.tif 000013